(57)【要約】【課題】傷病者のトリアージ区分を、無線通信によって簡便に判別し得るトリアージタグを提供する。【解決手段】トリアージ標識片１６ａ〜１６ｄの間の各易切断線１８ａ〜１８ｃに対応付けて切断識別用ＩＣタグ２０ａ〜２０ｃを配設して、各切断識別用ＩＣタグ２０ａ〜２０ｃが、対応する易切断線１８ａ〜１８ｃが切断されていない第一の状態では、通信可能距離が１ｍ以下となり、当該易切断線１８ａ〜１８ｃが切断された第二の状態では、該易切断線でアンテナ２２ａ〜２２ｃが切断されることによって、通信可能距離が１．５ｍ以上となるよう構成する。さらに、各切断識別用ＩＣタグ２０ａ〜２０ｃのＩＣチップ２１に、該切断識別用ＩＣタグ２０ａ〜２０ｃが対応する易切断線１８ａ〜１８ｃを示すＩＣタグ属性情報を記憶する。【選択図】図３
2015055742.tif 000002
【特許請求の範囲】
【請求項１】
タグ用紙に、所要情報を記入するタグ本体部と、トリアージ区分を示すトリアージ区分表示部とを形成してなるトリアージタグにおいて、
該トリアージ区分表示部は、模様及び／又は色彩が相違するトリアージ区分と同数のトリアージ標識片を、タグ本体部の端部から一方向に連続させて、トリアージ標識片とトリアージ標識片の境界に形成した易切断線で、トリアージ標識片を相互に切り離し可能に構成してなるものであり、
さらに、前記各易切断線に対応付けて配設される切断識別用ＩＣタグを備え、
各切断識別用ＩＣタグは、対応する易切断線を跨いで形成されるアンテナと、該易切断線よりもタグ本体部寄りに配設されて、前記アンテナを介して無線通信を行うＩＣチップとを備えてなり、
各切断識別用ＩＣタグは、
対応する易切断線が切断されていない第一の状態では、通信可能距離が１ｍ以下であり、
当該易切断線が切断された第二の状態では、該易切断線でアンテナが切断されることによって、通信可能距離が１．５ｍ以上となるよう構成されており、
各切断識別用ＩＣタグのＩＣチップには、該切断識別用ＩＣタグが対応する易切断線を示すＩＣタグ属性情報が記憶されていることを特徴とするトリアージタグ。
【請求項２】
前記切断識別用ＩＣタグはＵＨＦ帯で無線通信するものであることを特徴とする請求項１に記載のトリアージタグ。
【請求項３】
前記切断識別用ＩＣタグは、前記第一の状態ではアンテナがループ形状をなしており、前記第二の状態では、アンテナが易切断線で切断されて、該易切断線のタグ本体部側にダイポールアンテナを形成することを特徴とする請求項１又は請求項２に記載のトリアージタグ。
【請求項４】
前記切断識別用ＩＣタグのアンテナは、対応する易切断線よりもタグ本体側で、トリアージ標識片間の境界に形成された他の易切断線を跨ぐように形成されており、
前記切断識別用ＩＣタグは、前記他の易切断線が切断された第三の状態では、該他の易切断線でアンテナが切断されることによって、通信可能距離が１０ｃｍ以下となることを特徴とする請求項１乃至請求項３のいずれか１項に記載のトリアージタグ。
【請求項５】
タグ本体部から最も離れた二片のトリアージ標識片間の易切断線を跨いで形成されるアンテナと、該アンテナを介して無線通信を行うＩＣチップとを備えてなる始端識別用ＩＣタグを備え、
該始端識別用ＩＣタグのＩＣチップには、始端識別用ＩＣタグであることを示すＩＣタグ属性情報が記憶されており、
始端識別用ＩＣタグは、
前記二片のトリアージ標識片間の易切断線が連続している状態では、通信可能距離が１．５ｍ以上であり、
前記二片のトリアージ標識片間の易切断線が切断された状態では、該易切断線でアンテナが切断されることによって、通信可能距離が１０ｃｍ以下となることを特徴とする請求項１乃至請求項４のいずれか１項に記載のトリアージタグ。
【請求項６】
タグ用紙に配設される全てのＩＣタグのＩＣチップには、個々のトリアージタグに固有のトリアージタグ識別情報が記憶されていることを特徴とする請求項１乃至請求項５のいずれか１項に記載のトリアージタグ。
【発明の詳細な説明】
【技術分野】
【０００１】
本発明は、災害現場等で治療優先度を決定するトリアージにおいて、傷病者の識別に使用されるトリアージタグに関する。
【背景技術】
【０００２】
災害等により多数の傷病者が同時に発生したとき、限られた医療資源を最大限に活用してできるだけ多くの傷病者を救うため、傷病者の治療の優先度を決定するトリアージが行われる。トリアージでは、傷病者を、緊急度や重症度に応じて４つのトリアージ区分に分類し、傷病者のトリアージ区分に応じて搬送順序や搬送先、治療順序などが決定される。通常、トリアージでは、傷病者は、以下の４つのトリアージ区分に分類される。
区分０：死亡、または、救命の見込みのない状態。
区分１：生命に関わる重篤な状態。
区分２：区分１ほどではないが、早期に処置をすべき状態。
区分３：早期の処置や、搬送の必要がない状態。
【０００３】
トリアージでは、トリアージ実施者は、傷病者の状態を短時間で判断し、トリアージの結果を示すトリアージタグを傷病者の手首等に取り付ける。トリアージ実施者は、傷病者の搬送や治療はせず傷病者の選別のみに専念し、トリアージ被実施者は、トリアージタグの内容に基づいて搬送や治療が行われる。
【０００４】
図７は、既存一般のトリアージタグａである。トリアージタグａは、縦長矩形状の帳票である。トリアージタグａの上部から中央部には、傷病者の個人情報や、トリアージを実施した場所や日時、傷病者の症状、トリアージ区分等を記入する欄が設けられている。そして、トリアージタグａの下部には、トリアージにおいて最も重要な情報であるトリアージ区分を明示するためのトリアージ区分表示部ｂが形成される。トリアージ区分表示部ｂは、各トリアージ区分を示す色で着色されたトリアージ標識片ｃを上下方向に連続させてなるものであり、トリアージ標識片ｃの間に形成された易切断線ｄでトリアージ標識片ｃを切り離して、最下部のトリアージ標識片ｃの色によって、傷病者のトリアージ区分を示すよう構成されている。具体的には、トリアージ標識片ｃは、上から黒色（区分０）、赤色（区分１）、黄色（区分２）、緑色（区分３）の順序となっており、例えば、トリアージで傷病者のトリアージ区分が区分１であると決定した場合は、赤色（区分１）と黄色（区分２）のトリアージ標識片ｃの間で切断して、赤色（区分１）のトリアージ標識片ｃが最下部になるようにする。また、トリアージ区分が区分３であると決定した場合は、トリアージ区分表示部ｂを切断することなく傷病者に取り付ける。
【０００５】
また、従来のトリアージタグには、ＩＣタグを組み込んだものも提案されている（例えば、特許文献１）。特許文献１に記載のトリアージシステムでは、トリアージタグに組み込まれたＩＣタグに、各トリアージタグに固有のトリアージタグ識別情報を記憶させておく。そして、トリアージ実施者が、電子ペン記録システムを用いてトリアージタグに所要情報を記入し、トリアージタグに記入した情報を電子化してデータ管理サーバに送信するようにしている。かかるシステムによれば、搬送先等でトリアージタグのＩＣタグからトリアージタグ識別情報を読み取って、データ管理サーバに記憶された情報を取り出すことができる。
【先行技術文献】
【特許文献】
【０００６】
【特許文献１】特開２００９−２１７４４９号公報
【発明の概要】
【発明が解決しようとする課題】
【０００７】
上述のように、既存のトリアージタグでは、トリアージ区分を明瞭に判別可能とするために、トリアージタグの下部にトリアージ区分表示部が設けられている。しかしながら、従来のトリアージタグでは、現場が暗い場合や、トリアージタグの装着位置、傷病者の姿勢によっては、離れた位置からではトリアージ区分表示部を目視し難いことが多く、そうした場合は、傷病者に近づいてトリアージタグを手に取ってトリアージ区分を確認しなければならない。
【０００８】
これに対して、ＩＣタグが組み込まれたトリアージタグであれば、トリアージ区分の情報をＩＣタグに書き込んで無線通信によって読取可能にしておけば、トリアージ区分表示部をはっきりと目視できない距離からでもトリアージ区分を判別可能となる。また、特許文献１のように傷病者のトリアージ区分の情報がサーバで管理されている場合には、ＩＣタグからトリアージタグ識別情報を読み取ってサーバに照会すれば、当該トリアージタグのトリアージ区分を、トリアージ区分表示部を目視確認することなく判別できる。
【０００９】
しかしながら、トリアージ区分の情報をＩＣタグに記憶させる場合には、トリアージの際に、トリアージ実施者がＩＣタグライターを操作してＩＣタグにトリアージ区分の情報を書き込む作業が必要となる。また、トリアージ区分の情報をサーバで管理する場合には、トリアージの際に、トリアージ実施者がトリアージ区分の情報を端末に入力して、トリアージタグ識別情報とともにサーバに送信する作業が必要となる。災害現場等でのトリアージは一刻を争うものであり、傷病者一人当たりに割くことのできる時間は限られているため、こうした作業は極力少なくすることが望ましい。
【００１０】
本発明は、かかる現状に鑑みてなされたものであり、トリアージタグのトリアージ区分を、無線通信によって簡便に判別し得るトリアージタグの提供を目的とする。
【課題を解決するための手段】
【００１１】
本発明は、タグ用紙に、所要情報を記入するタグ本体部と、トリアージ区分を示すトリアージ区分表示部とを形成してなるトリアージタグにおいて、該トリアージ区分表示部は、模様及び／又は色彩が相違するトリアージ区分と同数のトリアージ標識片を、タグ本体部の端部から一方向に連続させて、トリアージ標識片とトリアージ標識片の境界に形成した易切断線で、トリアージ標識片を相互に切り離し可能に構成してなるものであり、さらに、前記各易切断線に対応付けて配設される切断識別用ＩＣタグを備え、各切断識別用ＩＣタグは、対応する易切断線を跨いで形成されるアンテナと、該易切断線よりもタグ本体部寄りに配設されて、前記アンテナを介して無線通信を行うＩＣチップとを備えてなり、各切断識別用ＩＣタグは、対応する易切断線が切断されていない第一の状態では、通信可能距離が１ｍ以下であり、当該易切断線が切断された第二の状態では、該易切断線でアンテナが切断されることによって、通信可能距離が１．５ｍ以上となるよう構成されており、各切断識別用ＩＣタグのＩＣチップには、該切断識別用ＩＣタグが対応する易切断線を示すＩＣタグ属性情報が記憶されていることを特徴とするトリアージタグである。ここで、「通信可能距離が１ｍ以下」の状態には、実質的に通信不能である状態を含む。また、本発明にあって、トリアージタグに配設されるＩＣタグの「通信可能距離」とは、電波暗室などの電波反射の影響のない環境にトリアージタグを設置した時に、出力１ＷのＩＣタグリーダを用いて、トリアージタグのＩＣタグのデータを読み取ることのできる最長距離を指す。
【００１２】
かかる構成にあっては、対応する易切断線が切断されていない切断識別用ＩＣタグは、比較的短距離の無線通信でしか記憶情報を読み取ることができないが、トリアージ区分表示部が易切断線で切り離されると、当該易切断線に対応する切断識別用ＩＣタグは、アンテナが当該易切断線で分断されてアンテナ形状が変化することで通信可能距離が拡張される。そして、これにより、比較的遠距離からでも、当該切断識別用ＩＣタグの記憶情報を無線通信で読取可能となる。このため、本発明のトリアージタグに対して、トリアージ区分表示部を目視しづらい位置から切断識別用ＩＣタグの読取りを試みた場合、対応する易切断線が切断されている切断識別用ＩＣタグの記憶情報のみが読み取られることとなる。各切断識別用ＩＣタグには、対応する易切断線を示すＩＣタグ属性情報が記憶されているから、読み取った切断識別用ＩＣタグのＩＣタグ属性情報に基づいて、切断された易切断線を特定すれば、トリアージ区分表示部の示すトリアージ区分を容易に判別できる。
【００１３】
このように、本発明のトリアージタグは、トリアージ区分表示部の切断に伴って、切断識別用ＩＣタグの通信可能距離が拡張されるよう構成されており、これを利用することで、トリアージタグのトリアージ区分を無線通信によって判別可することができる。したがって、本発明によれば、トリアージ区分の情報をＩＣタグに書き込んだり、トリアージタグ識別情報とトリアージ区分の情報をサーバに送信したりする手間をかけずに、トリアージ区分表示部の示すトリアージ区分を無線通信によって簡便に判別することが可能となる。
【００１４】
切断識別用ＩＣタグは、前記第一の状態と第二の状態とで、通信可能距離の差が大きくなるよう構成することが望ましい。前記第一の状態と第二の状態とで通信可能距離の差が大きくなれば、易切断線の切断状況を判別可能な範囲が広がるためである。このため、切断識別用ＩＣタグの通信可能距離は、前記第一の状態では３０ｃｍ以下となるよう構成することが望ましく、前記第二の状態では２ｍ以上となるよう構成することが望ましい。
【００１５】
本発明にあって、前記切断識別用ＩＣタグはＵＨＦ帯で無線通信するものであることが提案される。ここで、「ＵＨＦ帯」とは、３００〜３０００ＭＨｚの周波数を指す。ＵＨＦ帯の電波を用いれば、切断識別用ＩＣタグの第二の状態で、切断識別用ＩＣタグの通信可能距離を比較的長くすることができる。
【００１６】
また、本発明にあって、前記切断識別用ＩＣタグは、前記第一の状態ではアンテナがループ形状をなしており、前記第二の状態では、アンテナが易切断線で切断されて、該易切断線のタグ本体部側にダイポールアンテナを形成することが提案される。
【００１７】
ループ形状のアンテナは、電磁誘導方式の無線通信に用いられるものであり、通信可能距離が比較的短いのに対し、ダイポールアンテナは、電波方式の無線通信に用いられるものであり、通信可能距離が比較的長い。このため、かかる構成にあっては、易切断線の切断前後で、切断識別用ＩＣタグの通信可能距離の差を大きくすることができ、無線通信によってトリアージ区分を判別可能な範囲を広く確保することができる。また、ループ形状のアンテナは、一部を切断するだけで、容易に双極形状にすることができるから、かかる構成にあっては、切断識別用ＩＣタグのアンテナ形状を簡素化できるという利点がある。
【００１８】
また、本発明にあって、前記切断識別用ＩＣタグのアンテナは、対応する易切断線よりもタグ本体側で、トリアージ標識片間の境界に形成された他の易切断線を跨ぐように形成されており、前記切断識別用ＩＣタグは、前記他の易切断線が切断された第三の状態では、該他の易切断線でアンテナが切断されることによって、通信可能距離が１０ｃｍ以下となることが提案される。ここで、「通信可能距離が１０ｃｍ以下」の状態には、実質的に通信不能な状態を含む。
【００１９】
かかる構成にあっては、トリアージ区分表示部を易切断線で切り離すと、当該易切断線に対応する切断識別用ＩＣタグの通信可能距離が拡張するとともに、当該易切断線を挟んで、タグ本体部の反対側にある易切断線に対応する切断識別用ＩＣタグは、第三の状態になって通信可能距離が極めて短くなる。このように、かかる構成にあっては、易切断線が切断された時に、タグ本体部の反対側の易切断線に対応する切断識別用ＩＣタグの通信可能距離が極めて短くなるため、当該切断識別用ＩＣタグの記憶情報が、ＩＣタグリーダーに誤って読み取られるおそれが少なくなり、無線通信によってトリアージ区分の判別をより確実に行うことが可能となる。
【００２０】
また、本発明にあって、タグ本体部から最も離れた二片のトリアージ標識片間の易切断線を跨いで形成されるアンテナと、該アンテナを介して無線通信を行うＩＣチップとを備えてなる始端識別用ＩＣタグを備え、該始端識別用ＩＣタグのＩＣチップには、始端識別用ＩＣタグであることを示すＩＣタグ属性情報が記憶されており、始端識別用ＩＣタグは、前記二片のトリアージ標識片間の易切断線が連続している状態では、通信可能距離が１．５ｍ以上であり、前記二片のトリアージ標識片間の易切断線が切断された状態では、該易切断線でアンテナが切断されることによって、通信可能距離が１０ｃｍ以下となることが提案される
【００２１】
かかる構成にあっては、トリアージタグのトリアージ区分表示部が全く切断されていない状態も、トリアージ区分表示部を目視しづらい位置から無線通信で判別可能となる。
【００２２】
また、本発明にあって、タグ用紙に配設される全てのＩＣタグのＩＣチップには、個々のトリアージタグに固有のトリアージタグ識別情報が記憶されていることが提案される。
【００２３】
かかる構成にあっては、ＩＣタグリーダーによって、通信対象のＩＣタグが、どのトリアージタグに配設されたものであるかを判別可能となるから、ＩＣタグリーダーの通信可能範囲に複数のトリアージタグが存在する場合でも、各トリアージタグのＩＣタグを混同することなく、トリアージ区分を正確に判別可能となる。また、複数のトリアージタグのトリアージ区分を無線通信によって同時に判別することも可能となる。
【発明の効果】
【００２４】
以上に述べたように、本発明によれば、トリアージの際に通常の手順通りにトリアージ区分表示部を切断するだけで、トリアージ区分表示部の示すトリアージ区分を無線通信によって判別可能となるから、トリアージの際の手間を増やすことなく、トリアージ区分の判別が容易なトリアージタグを実現できる。また、本発明のトリアージタグは、トリアージ区分表示部の切断状態を無線通信によって直接判別可能なものであるため、トリアージ区分の情報を手入力でＩＣタグ等に記憶させる構成に比べて、情報の入力間違いが発生し難いという利点がある。
【図面の簡単な説明】
【００２５】
【図１】実施例のトリアージタグ１１の表面図である。
【図２】実施例のトリアージタグ１１の裏面図である。
【図３】トリアージ区分表示部１５の拡大図である。
【図４】易切断線１８ａでトリアージ標識片１６ｂ，１６ｃ，１６ｄを切り離した状態を示す、トリアージ区分表示部１５の拡大図である。
【図５】別の易切断線１８ｂでトリアージ標識片１６ｃ，１６ｄを切り離した状態を示す、トリアージ区分表示部１５の拡大図である。
【図６】別の易切断線１８ｃでトリアージ標識片１６ｄを切り離した状態を示す、トリアージ区分表示部１５の拡大図である。
【図７】従来のトリアージタグａの表面図である。
【発明を実施するための形態】
【００２６】
本発明の実施形態を、以下の実施例に従って説明する。
【００２７】
本実施例のトリアージタグ１１は、図１，２に示すように、縦長矩形状をなすタグ用紙１２の上端部に、傷病者の手首等に取り付けるための環状のゴム紐１３を結びつけてなるものである。
【００２８】
タグ用紙１２は、従来品同様の耐久性の高い紙で構成することができる。タグ用紙１２の上部から中央部にかけては、トリアージで各種の情報を記入するタグ本体部１４となっており、タグ用紙１２の下部は、トリアージ区分を明示するトリアージ区分表示部１５を構成する。
【００２９】
タグ本体部１４の表面には、図１に示すように、所要情報を記入する欄が設けられている。具体的な記入項目としては、傷病者の個人情報、トリアージの実施日時・実施場所・実施者、診断内容、トリアージ区分などがある。また、タグ本体部１４の表面左上には、各トリアージタグ１１に固有の識別番号（Ｎｏ．）が事前印刷される。また、タグ本体部１４の裏面には、図２に示すように、受傷箇所などの特記事項を記入する欄が設けられる。また、タグ本体部１４の表側には、二枚の複写紙１２ａ，１２ｂが積層される。複写紙１２ａ，１２ｂは災害現場や搬送機関の控えとして使用される。
【００３０】
トリアージ区分表示部１５は、図３に示すように、四つの横長矩形状のトリアージ標識片１６ａ〜１６ｄを、タグ本体部１４の下端部から下方に連続させてなるものであり、既存のトリアージタグと同様に、トリアージ標識片１６ａ〜１６ｄを選択的に切り離して、最下部のトリアージ標識片１６ａ〜１６ｄによって、傷病者のトリアージ区分を示すよう構成されたものである。具体的には、四つのトリアージ標識片１６ａ〜１６ｄは、四種類のトリアージ区分（区分０〜３）に対応しており、対応するトリアージ区分を示す色で着色されている。具体的には、タグ本体部１４の直下に形成される第一トリアージ標識片１６ａは、区分０を示すものであり、黒色で着色される。第一トリアージ標識片１６ａの下に形成される第二トリアージ標識片１６ｂは、区分１を示すものであり、赤色で着色される。同様に、第二トリアージ標識片１６ｂの下の第三トリアージ標識片１６ｃは、区分２を示す黄色で着色される。そして、一番下に位置する第四トリアージ標識片１６ｄは、区分３を示す緑色で着色される。
【００３１】
各トリアージ標識片１６ａ〜１６ｄの間の境界には、ミシン目からなる易切断線１８ａ〜１８ｃが、タグ用紙１２を横断するように夫々形成される。そして、易切断線１８ａ〜１８ｃに沿ってタグ用紙１２を切断することで、トリアージ標識片１６ｂ〜１６ｄをタグ本体部１４から切り離し得るよう構成される。なお、タグ本体部１４と第一トリアージ標識片１６ａの間には易切断線が形成されておらず、最上部の第一トリアージ標識片１６ａは、タグ本体部１４から切り離せないよう構成されている。
【００３２】
タグ用紙１２には、図３に示すように、上下方向に沿って四つのＩＣタグ２０ａ〜２０ｄが並設される。各ＩＣタグ２０ａ〜２０ｄは、ＵＨＦ帯で無線通信可能なパッシブタグであり、ＩＣチップ２１と、タグ用紙１２の上に形成されるアンテナ２２ａ〜２２ｄとを備えてなる。
【００３３】
アンテナ２２ａ〜２２ｄは、図３に示すように、タグ用紙１２の表面に導電性ペーストを所定形状に印刷することによって、タグ用紙１２の表面に沿って形成されたものである。なお、このアンテナ２２ａ〜２２ｄは、金属箔の箔押しによって形成することもできる。アンテナ２２ａ〜２２ｄの形状は、各ＩＣタグ２０ａ〜２０ｄによって異なるため、詳細な説明は後述する。
【００３４】
各ＩＣタグ２０ａ〜２０ｄのＩＣチップ２１は、記憶情報が相違する他は、同一構成のものが採用される。具体的には、ＩＣチップ２１は、アンテナ２２ａ〜２２ｄを介してＵＨＦ帯で無線通信可能なものであり、ＵＨＦ帯用のＩＣタグに用いられる既製品が好適に用いられる。このＩＣチップ２１は、各アンテナ２２ａ〜２２ｄに形成された装着部２４に、はんだ付け等で接合されることにより、各アンテナ２２ａ〜２２ｄと接続されている。
【００３５】
上記四つのＩＣタグ２０ａ〜２０ｄのうち、上から三つのＩＣタグ２０ａ〜２０ｃは、各易切断線１８ａ〜１８ｃに対応付けて配設されて、対応する易切断線１８ａ〜１８ｃの切断状態を判定するのに用いられる切断識別用ＩＣタグである。一方、一番下のＩＣタグ２０ｄは易切断線１８ａ〜１８ｃが全て未切断である状態を識別するための始端識別用ＩＣタグである。
【００３６】
図３に示すように、切断識別用ＩＣタグ２０ａ〜２０ｃは、第一トリアージ標識片１６ａと第二トリアージ標識片１６ｂの間の易切断線１８ａに対応する第一切断識別用ＩＣタグ２０ａと、第二トリアージ標識片１６ｂと第三トリアージ標識片１６ｃの間の易切断線１８ｂに対応する第二切断識別用ＩＣタグ２０ｂと、第三トリアージ標識片１６ｃと第四トリアージ標識片１６ｄの間の易切断線１８ｃに対応する第三切断識別用ＩＣタグ２０ｄとからなる。
【００３７】
第一切断識別用ＩＣタグ２０ａは、図３に示すように、アンテナ２２ａが左右対称なループ形状をなしており、第一トリアージ標識片１６ａと第二トリアージ標識片１６ｂに跨がるように配設されている。アンテナ２２ａの、第一トリアージ標識片１６ａの上端部中央位置には、ＩＣチップ２１を接続する装着部２４が形成されており、当該装着部２４の上にＩＣチップ２１が接合されている。
【００３８】
第一切断識別用ＩＣタグ２０ａのアンテナ２２ａは、第一トリアージ標識片１６ａと第二トリアージ標識片１６ｂの間の易切断線１８ａを跨いでおり、図４に示すように、該易切断線１８ａでトリアージ標識片１６ｂ〜１６ｄを切り離すと、アンテナ２２ａが易切断線１８ａで切断されるよう構成されている。なお、後述するように、ＩＣタグ２０ａ〜２０ｄの全てのアンテナ２２ａ〜２２ｄは、易切断線１８ａ〜１８ｃを跨ぐように形成されるが、各アンテナ２２ａ〜２２ｄは、ミシン目の非切断部分を含むように易切断線１８ａ〜１８ｃと交差しており、易切断線１８ａ〜１８ｃの非切断状態では、易切断線１８ａ〜１８ｃとの交差部分でアンテナ２２ａ〜２２ｄの導通が途切れないよう構成されている。
【００３９】
図４に示すように、第一トリアージ標識片１６ａと第二トリアージ標識片１６ｂの間の易切断線１８ａが切断されると、切断識別用ＩＣタグ２０ａのアンテナ２２ａのうち、第二トリアージ標識片１６ｂに形成されていた部分がＩＣチップ２１から切り離される。そして、これにより、アンテナ２２ａの残った部分が、ＩＣチップ２１を中央部に配したダイポールアンテナ２２０ａを形成するよう構成されている。かかるダイポールアンテナ２２０ａは、ＵＨＦ帯の所定周波数で共振するように設計されたものである。
【００４０】
かかる構成にあっては、易切断線１８ａの未切断状態では、第一切断識別用ＩＣタグ２０ａは、ループ形状のアンテナ２２ａを介して無線通信可能となる。ループ形状のアンテナ２２ａでは、電磁誘導方式で無線通信が行われるため、かかる状態では、第一切断識別用ＩＣタグ２０ａの通信可能距離は３０ｃｍ程度である。一方、易切断線１８ａが切断された状態では、第一切断識別用ＩＣタグ２０ａは、ＵＨＦ帯のダイポールアンテナ２２０ａを介して電波方式の無線通信を行うことが可能となる。かかる状態では、ＵＨＦ帯の適切な周波数を選択すれば、第一切断識別用ＩＣタグ２０ａの通信可能距離は３ｍ程度になる。すなわち、第一切断識別用ＩＣタグ２０ａは、対応する易切断線１８ａの未切断状態では、ＩＣタグリーダーを３０ｃｍ程度の距離まで近づけないと記憶情報を読み取ることができないが、当該易切断線１８ａの切断状態では３ｍ程度離れた位置からでも記憶情報を読取可能となる。
【００４１】
図３に示すように、第二切断識別用ＩＣタグ２０ｂは、第一切断識別用ＩＣタグ２０ａと同様に、アンテナ２２ｂが左右対称なループ形状をなしている。このアンテナ２２ｂは、第一トリアージ標識片１６ａと第二トリアージ標識片１６ｂと第三トリアージ標識片１６ｃとに跨がるように配設される。アンテナ２２ｂの、第二トリアージ標識片１６ｂの上端部中央位置には、ＩＣチップ２１を接続する装着部２４が形成されており、当該装着部２４の上にＩＣチップ２１が接合されている。
【００４２】
第二切断識別用ＩＣタグ２０ｂのアンテナ２２ｂは、第二トリアージ標識片１６ｂと第三トリアージ標識片１６ｃの間の易切断線１８ｂを跨いでおり、図５に示すように、当該易切断線１８ｂでトリアージ標識片１６ｃ，１６ｄをタグ本体部１４から切り離すと、アンテナ２２ｂが易切断線１８ｂで切断されるよう構成されている。この時、第二切断識別用ＩＣタグ２０ｂのアンテナ２２ｂは、第三トリアージ標識片１６ｃに形成されていた部分がＩＣチップ２１から切り離されて、アンテナ２２ｂの残された部分が、ＩＣチップ２１を中央部に配したダイポールアンテナ２２０ｂを形成する。かかるダイポールアンテナ２２０ｂは、第一切断識別用ＩＣタグ２０ａのダイポールアンテナ２２０ａと同様に、ＵＨＦ帯の所定周波数で共振するように設計されたものである。このように、第二切断識別用ＩＣタグ２０ｂは、第一切断識別用ＩＣタグ２０ａと同様に、対応する易切断線１８ｂの未切断状態では、アンテナ２２ｂがループ形状であるため、ＩＣタグリーダーを３０ｃｍ程度の距離まで近づけないと記憶情報を読み取ることができないが、当該易切断線１８ｂの切断状態では３ｍ程度離れた位置からでも記憶情報を読取可能となる。
【００４３】
また、第二切断識別用ＩＣタグ２０ｂのアンテナ２２ｂは、装着部２４の近傍部位が、対応する易切断線１８ｂの上方にある易切断線１８ａを跨いでおり、図４に示すように、当該易切断線１８ａでトリアージ標識片１６ｂ〜１６ｄが切り離された場合にも、アンテナ２２ｂが切断されるよう構成されている。この場合は、アンテナ２２ｂが装着部２４の近傍部位で切断されて、ＩＣチップ２１がアンテナ２２ｂの大部分から離隔されることで、第二切断識別用ＩＣタグ２０ｂはほぼ通信不能となる。
【００４４】
第三切断識別用ＩＣタグ２０ｃは、図３に示すように、対応する易切断線１８ｃが異なる以外は、第二切断識別用ＩＣタグ２０ｂと同構成である。具体的には、第三切断識別用ＩＣタグ２０ｃは、第三トリアージ標識片１６ｃと第四トリアージ標識片１６ｄの間の易切断線１８ｃに対して配設されるものであり、第二トリアージ標識片１６ｂと第三トリアージ標識片１６ｃと第四トリアージ標識片１６ｄとに跨がるループ形状のアンテナ２２ｃを備えている。そして、図６に示すように、対応する易切断線１８ｃが切断されると、このアンテナ２２ｃの一部が第四トリアージ標識片１６ｄとともに切り離されることにより、ダイポールアンテナ２２０ｃが形成されるよう構成されている。また、第三切断識別用ＩＣタグ２０ｃは、図５に示すように、対応する易切断線１８ｃの上方にある易切断線１８ｂが切断された場合には、装着部２４の近傍部位でアンテナ２２ｃが切断されるよう構成されている。
【００４５】
このように、第三切断識別用ＩＣタグ２０ｃは、第二切断識別用ＩＣタグ２０ｂと同様に、対応する易切断線１８ｃの未切断状態では、ＩＣタグリーダーを３０ｃｍ程度の距離まで近づけないと情報を読み取ることができず、当該易切断線１８ｃの切断状態では３ｍ程度離れた位置からでも情報を読取可能となる。そして、対応する易切断線１８ｃの上方にある易切断線１８ｂが切断された場合は、第三切断識別用ＩＣタグ２０ｃは、ほぼ通信不能となる。
【００４６】
以上のように、各易切断線１８ａ〜１８ｃに対して配設される切断識別用ＩＣタグ２０ａ〜２０ｃは、対応する易切断線１８ａ〜１８ｃが切断されていない状態では、ＩＣタグリーダーを３０ｃｍ程度の距離まで近づけないと記憶情報を読み取ることができないが、対応する易切断線１８ａ〜１８ｃが切断されると、通信可能距離が拡張されて、３ｍ程度離れたところからでも記憶情報を読取可能となる。また、対応する易切断線１８ａ〜１８ｃの上方の易切断線１８ａ〜１８ｃが切断された場合には通信不能となるよう構成されている。
【００４７】
始端識別用ＩＣタグ２０ｄは、図３に示すように、第三トリアージ標識片１６ｃと第四トリアージ標識片１６ｄとに跨がるようにアンテナ２２ｄが配設されている。このアンテナ２２ｄは、切断識別用ＩＣタグ２０ａ〜２０ｃが切断された時に形成される上記ダイポールアンテナ２２０ａ〜２２０ｃと同形状であり、ＵＨＦ帯の所定周波数で共振するように設計されたものである。アンテナ２２ｄの、第四トリアージ標識片１６ｄの上端部中央位置には、ＩＣチップ２１を接続する装着部２４が形成されており、当該装着部２４の上にＩＣチップ２１が接合されている。
【００４８】
始端識別用ＩＣタグ２０ｄのアンテナ２２ｄは、装着部２４の近傍部位が、第三トリアージ標識片１６ｃと第四トリアージ標識片１６ｄの間の易切断線１８ｃを跨いでおり、図６に示すように、該易切断線１８ｃが切断されると、始端識別用ＩＣタグ２０ｄのアンテナ２２ｄは、装着部２４の近傍部位で切断され、かかる切断によって、ＩＣチップ２１がアンテナ２２ｄの大部分から離隔されることで、始端識別用ＩＣタグ２０ｄがほぼ通信不能となる。
【００４９】
このように、始端識別用ＩＣタグ２０ｄは、易切断線１８ｃの未切断状態では、３ｍ程度離れた位置からでも情報を読み取ることができ、易切断線１８ｃの切断状態では、ほぼ通信不能となるよう構成されている。
【００５０】
各ＩＣタグ２０ａ〜２０ｄのＩＣチップ２１には、予めトリアージタグ１１に付与された各トリアージタグに固有のトリアージタグ識別情報と、各ＩＣチップ２１の属性を示すＩＣタグ属性情報とが記憶される。トリアージタグ識別情報は８桁の識別番号からなるものである。また、ＩＣタグ属性情報は下記のように０〜３の識別番号からなるものである。
０：第一切断識別用ＩＣタグ
１：第二切断識別用ＩＣタグ
２：第三切断識別用ＩＣタグ
３：始端識別用ＩＣタグ
そして、各ＩＣタグ２０ａ〜２０ｄのＩＣチップ２１は、ＩＣタグリーダーからの要求に応じて、トリアージタグ識別情報とＩＣタグ属性情報の情報をＩＣタグリーダーに送信する。具体的には、トリアージタグ識別情報が「１２３４５６７８」であるトリアージタグ１１の第二切断識別用ＩＣタグ２０ｂは、トリアージタグ識別情報「１２３４５６７８」とＩＣタグ属性情報「２」とを含む情報をＩＣタグリーダーに送信する。
【００５１】
本実施例のトリアージタグ１１は、トリアージタグ１１から１〜３ｍ程度離れた位置から、ＩＣタグリーダーでＩＣタグ２０ａ〜２０ｄの読取りを試行することで、トリアージ区分を無線通信によって判別することができる。すなわち、トリアージ区分表示部１５が易切断線１８ａ〜１８ｃで切断されている場合は、切断された易切断線１８ａ〜１８ｃに対応する切断識別用ＩＣタグ２０ａ〜２０ｃのＩＣタグ属性情報を読み取ることができるから、かかるＩＣタグ属性情報に基づいて、トリアージ区分表示部１５がどの易切断線１８ａ〜１８ｃで切断されているかを特定すれば、トリアージ区分表示部１５の示すトリアージ区分を容易に判別できる。また、切断識別用ＩＣタグ２０ａ〜２０ｃのＩＣタグ属性情報を読み取ることができず、始端識別用ＩＣタグ２０ｄのＩＣタグ属性情報を読み取った場合には、トリアージ区分表示部１５が全く切断されていない状態（トリアージ区分「３」）であると判別できる。
【００５２】
なお、トリアージタグ１１のトリアージ区分を判別するためのＩＣタグリーダーは、上記の１〜３ｍ程度の通信距離でＩＣタグ２０ａ〜２０ｄと通信可能なものであれば、特に限定されるものではないが、複数のＩＣタグ２０ａ〜２０ｄと同時通信可能なアンチコリジョン機能を備えていることが望ましい。
【００５３】
本実施例のトリアージタグ１１の製造方法としては、例えば、タグ用紙１２に印刷を施したり、易切断線１８ａ〜１８ｃを形成したりして、ＩＣタグを具備しない既存のトリアージタグを製造する工程と、タグ用紙１２の所要位置にアンテナ２２ａ〜２２ｄを印刷形成する工程と、各アンテナ２２ａ〜２２ｄの装着部２４にＩＣチップ２１を接合する工程と、ＩＣタグライターを用いて、ＩＣタグ２０ａ〜２０ｄに上記トリアージタグ識別情報及びＩＣタグ属性情報を書き込む工程と、を備えるものが挙げられる。
【００５４】
以上のように、本実施例のトリアージタグ１１は、トリアージ区分表示部１５を視認しづらい距離から、ＩＣタグリーダーにＩＣタグ２０ａ〜２０ｄの記憶情報を読み取らせることで、トリアージ区分表示部１５の示すトリアージ区分を判別することができる。特に、本実施例では、トリアージタグ１１の各ＩＣタグ２０ａ〜２０ｄに、トリアージタグ識別情報を記憶させているため、ＩＣタグリーダーの通信可能範囲に複数のトリアージタグ１１が含まれている場合でも、各トリアージタグ１１のＩＣタグ２０ａ〜２０ｄを混同することなく、複数のトリアージタグ１１のトリアージ区分を一度に判別できるという利点がある。
【００５５】
また、本実施例のトリアージタグ１１では、トリアージ区分表示部１５が易切断線１８ａ〜１８ｃで切断された時に、切断された易切断線１８ａ〜１８ｃに対応する切断識別用ＩＣタグ２０ａ〜２０ｃの通信可能距離が拡張されるだけでなく、その下方に位置するＩＣタグ２０ｂ〜２０ｄがほぼ通信不能になるよう構成されている。このため、本実施例では、無線通信によってトリアージ区分表示部１５の示すトリアージ区分を確認する時に、余計なＩＣタグ２０ｂ〜２０ｄの記憶情報をＩＣタグリーダーが誤って読み取ってしまうおそれが少なくなり、トリアージ区分表示部１５の示すトリアージ区分を高精度で判別できるという利点がある。
【００５６】
また、本実施例のトリアージタグ１１では、切断識別用ＩＣタグ２０ａ〜２０ｃのアンテナ２２ａ〜２２ｃを、初期状態ではループ形状とし、対応する易切断線１８ａ〜１８ｃが切断された時にダイポールアンテナ２２０ａ〜２２０ｃを形成するようにしているため、易切断線１８ａ〜１８ｃの切断前後で、切断識別用ＩＣタグ２０ａ〜２０ｃの通信可能距離を大きく変化させて、無線通信によってトリアージ区分を判別可能な範囲を広く確保できるという利点がある。また、ループ形状のアンテナは、一部を切断するだけで、容易に双極形状にすることができるから、かかる構成によって、切断識別用ＩＣタグ２０ａ〜２０ｃのアンテナ形状を簡素化できるという利点もある。
【００５７】
次に、本実施例のトリアージタグ１１の使用例について説明する。
本実施例のトリアージタグ１１は、トリアージの際には、ＩＣタグを具備しないトリアージタグと同様に扱うことができる。すなわち、トリアージ実施者は、傷病者の状態を判断し、タグ本体部１４に傷病者の個人情報や症状等を記入する。そして、タグ本体部１４への記入が完了したら、決定したトリアージ区分を示すトリアージ標識片１６ａ〜１６ｄが最下部にくるように、トリアージ区分表示部１５を易切断線１８ａ〜１８ｃで切り離す（「区分３」の場合は全く切断しない。）。そして、かかるトリアージタグ１１を傷病者の手首等に巻き付けることにより、傷病者一人分のトリアージが終了する。このように、本実施例のトリアージタグ１１では、トリアージでの判断結果をＩＣタグ２０ａ〜２０ｄに記憶させるなどの作業は必要ない。
【００５８】
そして、本実施例のトリアージタグ１１によれば、トリアージ終了後の傷病者のトリアージ区分を、３ｍ程度離れた位置からＩＣタグリーダーで確認可能となる。判別した傷病者のトリアージ区分は、例えば、トリアージタグ識別情報とともにサーバーに送信することで、傷病者の数や症状の統括的な管理に用いることができる。また、本実施例のトリアージタグ１１は、ＩＣタグリーダーを用いることで、トリアージ区分表示部１５を一つ一つ目視確認するよりも簡便にトリアージ区分を確認できるため、トリアージ終了後の傷病者の中から、重症度の高い傷病者を探索して選別する際にも有効に用いることができる。
【００５９】
このように、本実施例のトリアージタグ１１は、一般的なトリアージの手順通りにトリアージ区分表示部１５を切断するだけで、トリアージ区分を無線通信によって判別可能となるから、トリアージの際の手間を増やすことなく、トリアージ区分を無線通信によって簡便に判別できる。
【００６０】
本発明は、上記実施例の形態に限らず本発明の要旨を逸脱しない範囲内において種々変更を加えることができる。
【００６１】
例えば、トリアージタグの形態は、使用するトリアージのシステムに応じて、上記実施例の形態を種々変更することが可能である。
【００６２】
また、上記実施例では、ＩＣタグ２０ａ〜２０ｄが、タグ用紙１２に印刷されたアンテナ２２ａ〜２２ｄの上に、ＩＣチップ２１を直接装着してなる構成となっているが、本発明に係るＩＣタグは、タグ用紙に印刷したアンテナの上に、ＩＣチップと小型アンテナとをパッケージ化したＩＣモジュールを装着してなる構成とすることも可能である。また、本発明に係るＩＣタグは、インレット形態のものをタグ用紙に貼り付けることによっても配設可能である。
【００６３】
また、上記実施例では、ＩＣタグ２０ａ〜２０ｄがタグ用紙１２の表面に露出しているが、ＩＣタグの表面は、適宜に保護層で被覆することが可能である。また、ＩＣタグをタグ用紙に埋設することもできる。
【００６４】
また、上記実施例では、易切断線１８ａ〜１８ｃがミシン目によって形成されているが、本発明に係る易切断線はハーフカット線などによって形成することも可能である。
【００６５】
また、上記実施例では、ＩＣタグ２０ａ〜２０ｄにトリアージタグ識別情報とＩＣタグ属性情報のみが記憶される構成としているが、本発明のＩＣタグには、トリアージタグ識別情報とＩＣタグ属性情報以外の情報を記憶させることが可能である。
【符号の説明】
【００６６】
１１  トリアージタグ
１２  タグ用紙
１２ａ，１２ｂ  複写紙
１３  ゴム紐
１４  タグ本体部
１５  トリアージ区分表示部
１６ａ〜１６ｄ  トリアージ標識片
１８ａ〜１８ｃ  易切断線
２０ａ〜２０ｃ  切断識別用ＩＣタグ
２０ｄ  始端識別用ＩＣタグ
２１  ＩＣチップ
２２  アンテナ
２２０ａ〜２２０ｃ  ダイポールアンテナ
２４  装着部
【図１】
2015055742.tif 000003
【図２】
2015055742.tif 000004
【図３】
2015055742.tif 000005
【図４】
2015055742.tif 000006
【図５】
2015055742.tif 000007
【図６】
2015055742.tif 000008
【図７】
2015055742.tif 000009